(57)【特許請求の範囲】
【請求項１】
着用者の胴の前部を覆い胴回り方向に延びる前胴回り部と、
着用者の胴の背部を覆い胴回り方向に延びる後胴回り部と、
前記前胴回り部および前記後胴回り部に重なると共に接合され前記胴回り方向に直交する縦方向に延び着用者の股間を覆うクロッチ部と、
前記クロッチ部の上に着脱可能に装着され、液透過性を有するトップシートと液不透過性を有するバックシートとの間に、液保持性を持つコアを挟んだ吸収性本体とを備え、
前記前胴回り部の前記胴回り方向の各端部と、前記後胴回り部の前記胴回り方向の各端部とが互いに接合されていることにより、前記胴が通るウエスト開口と脚が通る一対のレッグ開口とが形成され、
前記レッグ開口において前記クロッチ部を前記脚の側面に密着させるためのレッグ弾性部材が、前記クロッチ部の前記縦方向に直交する幅方向の両側縁において前記縦方向に沿って延びており、
ここにおいて、前記レッグ弾性部材が前記吸収性本体に設けられておらず、かつ、前記クロッチ部を形成する部材に固定されており、
ここにおいて、前記前胴回り部、前記後胴回り部または前記クロッチ部の少なくとも１つにおける着用者に対向する内面は雄面ファスナが係合可能な表面を有し、前記吸収性本体の前記バックシートにおける前記内面に対面する外面には前記係合可能な表面に対し着脱可能に係合する雄面ファスナが設けられており、
前記レッグ弾性部材は前記前胴回り部と後胴回り部との間に設けられ、かつ、前記前胴回り部及び後胴回り部には設けられていないことを特徴とするパンツ型の着用物品。
【請求項２】
請求項１において、前記クロッチ部は前記前胴回り部において前記縦方向に半分以上にわたって延びて前記前胴回り部に重なり、
かつ、前記クロッチ部は前記後胴回り部において前記縦方向に半分以上にわたって延びて、前記後胴回り部に重なっていることを特徴とするパンツ型の着用物品。
【請求項３】
請求項２において、前記クロッチ部における前記前胴回り部に重なった部位と、前記クロッチ部における前記後胴回り部に重なった部位において、前記雄面ファスナが前記係合可能な表面に係合し、
かつ、前記クロッチ部における前記前胴回り部と後胴回り部との間には前記雄面ファスナが配置されていない、パンツ型の着用物品。
【発明の詳細な説明】
【技術分野】
【０００１】
本発明はパンツ型の着用物品およびそのパンツ本体の製造方法に関するものである。
【背景技術】
【０００２】
従来より、パンツ本体に対して吸収性本体が着脱自在なパンツ型の着用物品が提案されている（特許文献１参照）。
【先行技術文献】
【特許文献】
【０００３】
【特許文献１】特開平９−７５３９０号（要約書）
【発明の概要】
【発明が解決しようとする課題】
【０００４】
前記従来のパンツ型の着用物品は、失禁する度にパンツ本体から吸収性本体を取り外し吸収性本体を取り換えることができ、少量の尿や便が意図せずに排泄される軟失禁などの用途に適している。
【０００５】
しかし、図６Ｂに示すように、従来のパンツ型の着用物品は、クロッチ部（股部）２を脚の側面に密着させるために吸収性本体５Ａにレッグ弾性部材Ｆ１を配置している。そのため、吸収性本体５Ａの幅が大きくなり、ゴワつき、着用感が著しく低下する。特に、見た目も股部が盛り上がり見苦しくなるため、軟失禁用に着用して外出することに抵抗感が生じ易い。
【０００６】
したがって、本発明の目的は、見た目がスマートで、かつ、着用感の良好なパンツ型の着用物品を提供することである。
また、本発明の別の目的は、かかるパンツ型の着用物品のパンツ本体の新規な製造方法を提供することである。
【課題を解決するための手段】
【０００７】
前記目的を達成するために、本発明のあるパンツ型の着用物品は、着用者の胴の前部を覆い胴回り方向に延びる前胴回り部と、着用者の胴の背部を覆い胴回り方向に延びる後胴回り部と、前記前胴回り部および前記後胴回り部に重なると共に接合され前記胴回り方向に直交する縦方向に延び着用者の股間を覆うクロッチ部と、前記クロッチ部の上に着脱可能に装着され、液透過性を有するトップシートと液不透過性を有するバックシートとの間に、液保持性を持つコアを挟んだ吸収性本体とを備え、前記前胴回り部の前記胴回り方向の各端部と、前記後胴回り部の前記胴回り方向の各端部とが互いに接合されていることにより、前記胴が通るウエスト開口と脚が通る一対のレッグ開口とが形成され、前記レッグ開口において前記クロッチ部を前記脚の側面に密着させるためのレッグ弾性部材が、前記クロッチ部の前記縦方向に直交する幅方向の両側縁において前記縦方向に沿って延びており、ここにおいて、前記レッグ弾性部材が前記吸収性本体に設けられておらず、かつ、前記クロッチ部を形成する部材に固定されていることを特徴とする。
【発明の効果】
【０００８】
本発明のパンツ型の着用物品によれば、レッグ弾性部材がクロッチ部に配置され、吸収性本体に配置されていない。そのため、厚いコアを有する吸収性本体が前記幅方向にコンパクトになる。したがって、装着時の外観や着用感が向上する。
また、吸収性本体にレッグ弾性部材を設けないので、失禁の度に使い捨てる吸収性本体を安価に作成することができる。
【図面の簡単な説明】
【０００９】
【図１】図１Ａは本発明の実施例１にかかるパンツ型の着用物品を示す概略正面図、図１Ｂは図２の IB-IB線矢視のクロッチ部および吸収性本体の断面図である。
【図２】図１における着用物品の II-II線断面図である。
【図３】図３Ａはパンツ本体を開いた状態を示す概略平面図、図３Ｂは図３Ａの IIIB-IIIB線における着用物品の断面図、図３Ｃは図３Ａの IIIC-IIIC線における着用物品の断面図である。
【図４】パンツ本体の製造方法を示す概略平面図である。
【図５】パンツ本体の製造方法を示す概略平面図である。
【図６】図６Ａは実施例２のパンツ型の着用物品におけるクロッチ部および吸収性本体を示す概略断面図、図６Ｂは従来例にかかる同概略断面図である。
【図７】実施例３および４にかかるパンツ型の着用物品のパンツ本体および吸収性本体を開いた状態を示す概略平面図である。
【発明を実施するための形態】
【００１０】
前記前胴回り部、前記後胴回り部または前記クロッチ部の少なくとも１つにおける着用者に対向する内面は雄面ファスナが係合可能な表面を有し、前記吸収性本体の前記バックシートにおける前記内面に対面する外面には前記係合可能な表面に対し着脱可能に係合する雄面ファスナが設けられている。
かかる態様によれば、雄面ファスナにより吸収性本体の着脱が容易になる。
また、吸収性本体がズレた場合、吸収性本体に配置された雄面ファスナはバックシートの外面に設けられており、したがって、雄面ファスナの係合要素が肌に触れるおそれがない。
【００１１】
一方、本パンツ型の着用物品のパンツ本体の製造方法は、着用者の胴の前部を覆い胴回り方向に延びる前胴回り部と、着用者の胴の背部を覆い胴回り方向に延びる後胴回り部と、前記前胴回り部および前記後胴回り部に重なると共に接合され前記胴回り方向に直交する縦方向に延び着用者の股間を覆い、液透過性を有するトップシートと液不透過性を有するバックシートとの間に液保持性を持つコアを挟んだ吸収性本体が着脱可能に装着されるクロッチ部とを備え、前記前胴回り部の前記胴回り方向の各端部と、前記後胴回り部の前記胴回り方向の各端部とが互いに接合されていることにより、前記胴が通るウエスト開口と脚が通る一対のレッグ開口とが形成されたパンツ型の着用物品のパンツ本体の製造方法であって、前記前胴回り部となる第１連続ウエブと前記後胴回り部となる第２連続ウエブとを互いに平行で、かつ、互いに離間した状態で前記各ウエブの長手方向に搬送する工程と、前記クロッチ部となる第３連続ウエブをその長手方向に搬送しながら前記第３連続ウエブの両側縁に沿って前記第３連続ウエブの前記長手方向に伸張された弾性部材を配置する工程と、前記弾性部材が配置された第３連続ウエブを前記第３連続ウエブの長手方向の所定の間隔で次々に切断して前記クロッチ部を生成する工程と、前記互いに平行に搬送されている前記第１連続ウエブと前記第２連続ウエブとに前記クロッチ部が跨がるように、かつ、前記弾性部材が延びる方向が前記第１および第２連続ウエブの長手方向に直交する直交方向に沿うように配置して前記クロッチ部を前記第１および第２連続ウエブに接合して複合ウエブを生成する工程と、前記第１連続ウエブと前記第２連続ウエブとが互いに重なるように、前記複合ウエブを前記クロッチ部において折る工程と、前記各パンツ本体が１つのクロッチ部を含むように、前記折られた複合ウエブを次々に切断して前記パンツ本体を生成する工程とを備えている。
【００１２】
かかる製造方法によれば、レッグ開口に沿ったレッグ弾性部材を持つパンツ本体を生成することができる。したがって、厚いコアを有する吸収性本体にレッグ弾性部材を設ける必要がないので、コアを有する吸収性本体がコンパクトになる。
【００１３】
前記製造方法において、前記折る工程の前に、前記第１連続ウエブ、第２連続ウエブまたは前記クロッチ部の少なくとも１つに前記吸収性本体を着脱可能に装着する面ファスナが配置される工程を更に備えているのが好ましい。
かかる態様によれば、面ファスナにより吸収性本体の着脱が容易になる。
【００１４】
前記製造方法において、前記クロッチ部を生成後、前記クロッチ部の前記弾性部材の延びる方向が前記直交方向に沿うように、前記第３連続ウエブが搬送される方向に対して前記クロッチ部を９０°旋回させる工程を更に備えているのが好ましい。
かかる態様によれば、前記クロッチ部を９０°旋回させるので、第３連続ウエブの長手方向に沿って弾性部材を配置すればよい。したがって、クロッチ部を生成し易い。
【００１５】
前記製造方法において、前記弾性部材は長手方向に連続する連続弾性部材であり、前記配置する工程において、前記第３連続ウエブの両側縁に前記連続弾性部材を間欠的に接着し、前記第３連続ウエブを切断してクロッチ部を生成する工程において、前記連続弾性部材が前記第３連続ウエブに接着されていない部分において切断する工程を更に備えているのが好ましい。
【００１６】
この場合、伸張していた連続弾性部材の非接着部分が前記切断と同時に縮み（スナップバックし）、クロッチ部の両端部が伸縮しない。そのため、クロッチ部の両端部が接合された各胴回り部はゴワツキにくい。
また、クロッチ部の両端部が伸縮しないので、該両端部を第１および第２連続ウエブに接合し易くなる。
【実施例１】
【００１７】
本発明は、添付の図面を参考にした以下の好適な実施例の説明からより明瞭に理解されるであろう。しかしながら、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。
【００１８】
以下、本発明の実施例が図面にしたがって説明される。
図１〜図５は実施例１を示す。
【００１９】
オムツ１：
図１Ａ、図１Ｂおよび図２に示すように、本実施例のパンツ型のオムツ（パンツ型の着用物品の一例）１はパンツ本体１０に吸収性本体５を取り付けて使用するものである。吸収性本体５が汚れる度にパンツ本体１０から吸収性本体５を取り外し、パンツ本体１０に新たな吸収性本体５を取り付けて使用する。
【００２０】
パンツ本体１０：
前記パンツ本体１０は、前胴回り部３、後胴回り部４およびクロッチ部２を備えている。
図１Ａの前記前胴回り部３は胴回り方向Ｗに延びており、着用者の胴の前部を覆うものである。図３Ａのパンツ本体の展開図に示すように、前記後胴回り部４は胴回り方向Ｗに延びており、着用者の胴の後部を覆うものである。
図２の各胴回り部３，４はたとえば２枚の不織布３００，３００が互いに接着されている。
図２および図３Ａの前記クロッチ部２は、前胴回り部３および後胴回り部４に重なると共に接合（接着）され、胴回り方向Ｗに直交する縦方向Ｚに延び着用者の股間を覆うものである。
【００２１】
図３Ａに示す前胴回り部３の胴回り方向Ｗの各端部３ｓと、後胴回り部４の胴回り方向Ｗの各端部４ｓとは互いに接合されることにより、胴が通る図２のウエスト開口Ｗｏと、脚が通る図１Ａの一対のレッグ開口Ｌｏとが形成されている。
【００２２】
レッグ弾性部材Ｆ１；
図１Ａ、図１Ｂおよび図３Ａに示すように、クロッチ部２には、レッグ開口Ｌｏにおいて前記クロッチ部２を脚の内側面部に密着させるためのレッグ弾性部材Ｆ１が設けられている。図３Ａに示すように、前記レッグ弾性部材Ｆ１はクロッチ部２の前記縦方向Ｚに直交する幅方向Ｗの両側縁２ｅに沿って前記縦方向Ｚに延びている。
【００２３】
前記前胴回り部３および後胴回り部４には、胴回り部３，４を着用者の胴にフィットさせるために、胴回り方向Ｗに複数本のウエスト弾性部材Ｆ２が配設されている。また、前記各胴回り部３，４には胴回り部３，４を着用者のヒップにフィットさせるために、胴回り方向Ｗに複数本のヒップ弾性部材Ｆ３が配設されている。
【００２４】
吸収性本体５：
図１Ｂ、図２、図３Ｂおよび図３Ｃに示すように、前記吸収性本体５はクロッチ部２の上に着脱可能に装着される。図２に示すように、吸収性本体５は、液透過性を有するトップシート５０と液不透過性を有するバックシート５１との間に液保持性を持つコアＣが挟まれている。
なお、トップシート５０にはカフ５３が設けられている。
【００２５】
面ファスナ２１，５２：
図３Ａに示すように、前記クロッチ部２における着用者に対向する内面２ａには第１面ファスナ２１が固着されている。前記第１面ファスナ２１は例えば雌面ファスナからなる。
一方、図２，図３Ｂおよび図３Ｃに示すように、クロッチ部２の内面２ａに対面する吸収性本体５の外面５ａには、前記第１面ファスナ２１に対し着脱可能に係合する第２面ファスナ５２が固着されている。前記第２面ファスナ５２は雄面ファスナからなる。
【００２６】
レッグ弾性部材Ｆ１：
図１Ｂおよび図３Ｂに示すように、前記レッグ弾性部材Ｆ１は前記クロッチ部２を形成する例えば２枚の不織布２００，２００の間に挟まれて固定されている。前記レッグ弾性部材Ｆ１は、前胴回り部３と後胴回り部４との間に設けられている。一方、図３Ｂおよび図３Ｃに示すように、吸収性本体５にはレッグ弾性部材Ｆ１が設けられていない。すなわち、レッグ弾性部材Ｆ１は吸収性本体５に設けられておらず、かつ、クロッチ部２を形成する部材に固定されている。
【００２７】
したがって、図６Ｂの従来例に示すように、吸収性本体５Ａにレッグ弾性部材Ｆ１を設けた場合とは異なり、実施例２を示す図３Ｂの吸収性本体５にレッグ弾性部材Ｆ１を設ける必要がないので、吸収性本体５を幅方向Ｗにコンパクトに作成することができる。すなわち、図３Ｂおよび図６Ａに示すように、前記レッグ弾性部材Ｆ１を設けるスペースが不要であるから、吸収性本体５の胴回り方向Ｗの幅Ｗ５は、クロッチ部２の胴回り方向Ｗの幅Ｗ１０よりも小さい。
【００２８】
パンツ本体１０の製造方法：
つぎに、前記吸収性本体５が取り付けられるパンツ本体１０の製造方法について説明する。
【００２９】
連続ウエブＷ１，Ｗ２を搬送する工程；
図４Ｂに示すように、前胴回り部３（図３Ａ）となる第１連続ウエブＷ１と、後胴回り部４（図３Ａ）となる第２連続ウエブＷ２とは、互いに平行で、かつ、互いに離間した状態で該各連続ウエブＷ１，Ｗ２の長手方向Ｗに搬送される。
前記連続ウエブＷ１，Ｗ２は、２枚の不織布３００，３００（図２）の間に複数本のウエストおよびヒップ弾性部材Ｆ２，Ｆ３が挟まれ、該２枚の不織布３００，３００（図２）が互いに接着されている。
【００３０】
連続弾性部材Ｆを配置する工程；
一方、図４Ａに示すように、クロッチ部２（図３Ａ）となる第３連続ウエブＷ３を、その長手方向Ｗに搬送しながら第３連続ウエブＷ３の両側縁Ｗ３ｅ，Ｗ３ｅに沿って該第３連続ウエブＷ３の長手方向Ｗに伸張された連続弾性部材Ｆを配置する。
すなわち、前記第３連続ウエブＷ３を形成する不織布２００と不織布２００との間に連続弾性部材Ｆを挟みながら前記両不織布２００，２００を互いに接着する。
ここで、前記レッグ弾性部材Ｆ１を配置する工程において、連続弾性部材Ｆは第３連続ウエブＷ３の両側縁Ｗ３ｅ，Ｗ３ｅに間欠的に接着される。
【００３１】
クロッチ部２を生成する工程；
その後、連続弾性部材Ｆが配置された第３連続ウエブＷ３を、該第３連続ウエブＷ３の長手方向Ｗの所定の間隔で次々に切断してクロッチ部２を生成する。
かかる工程において、連続弾性部材Ｆは第３連続ウエブＷ３に接着されていない部分において切断される。そのため、伸張していた連続弾性部材Ｆの非接着部分が前記切断と同時に縮み（スナップバックし）、レッグ弾性部材Ｆ１が形成される。
【００３２】
クロッチ部２を９０°旋回させる工程；
前記クロッチ部２を生成後、クロッチ部２のレッグ弾性部材Ｆ１の延びる方向が第１および第２連続ウエブＷ１，Ｗ２の長手方向Ｗに直交する方向（直交方向）Ｚとなるように、クロッチ部２が搬送方向Ｌに対して９０°旋回される。
なお、クロッチ部２を９０°旋回させる方法としては、たとえば、特開昭６３−３１７５７６号に開示されたリピッチターンドラムを用いる方法を採用することができる。
【００３３】
複合ウエブＷ４を生成する工程；
図４Ｂに示すように、前記互いに平行に搬送されている第１連続ウエブＷ１と第２連続ウエブＷ２とに、前記クロッチ部２が跨がるように該連続ウエブＷ１，Ｗ２にクロッチ部２が接合されて複合ウエブＷ４が生成される。
ここで、レッグ弾性部材Ｆ１が延びる方向Ｚが第１および第２ウエブＷ１，Ｗ２の長手方向Ｗに直交する直交方向に沿うように配置して、クロッチ部２を第１および第２ウエブＷ１，Ｗ２に接合して複合ウエブＷ４が生成される。
【００３４】
第１面ファスナ２１が配置される工程；
その後、クロッチ部２の四隅に吸収性本体５（図２、図３Ｂおよび図３Ｃ）を着脱可能に装着するための複数個の第１面ファスナ２１が配置される。
なお、第１面ファスナ２１は、前述したクロッチ部２を切断して生成する工程の前後にクロッチ部２に配置されてもよい。
【００３５】
複合ウエブＷ４を折る工程；
その後、図５に示すように、第１連続ウエブＷ１と第２連続ウエブＷ２とが互いに重なるように、複合ウエブＷ４がクロッチ部２の部位において折られる。
【００３６】
その後、各パンツ本体１０が１つのクロッチ部２を含むように、前記折られた複合ウエブＷ４を次々に切断してパンツ本体１０が生成される。
ここで、前記切断と同時に、前胴回り部３の胴回り方向Ｗの各端部３ｓと、後胴回り部４の胴回り方向Ｗの各端部４ｓとが互いに接合され、図１Ａおよび図２に示す胴が通るウエスト開口Ｗｏと、脚が通る一対のレッグ開口Ｌｏとが形成される。
前記接合は、たとえば、ヒートシールやソニックによる接合が採用されてもよいし、ホットメルト系の接着剤で実行されてもよい。
【実施例２】
【００３７】
図６Ａは実施例２を示す。
本実施例のパンツ本体１０のクロッチ部２は１枚の不織布からなり、該クロッチ部２の両側縁２ｅはレッグ弾性部材Ｆ１を包むようにそれぞれ折り返されてレッグ弾性部材Ｆ１を固定している。
その他の構成は、実施例１と同様であり、同一部分または相当部分に同一符号を付して、その説明を省略する。
【実施例３】
【００３８】
図７Ａおよび図７Ｂは実施例３を示す。
図７Ａに示すように、本実施例３のパンツ本体１０は、前胴回り部３においてはクロッチ部２に前側の第１面ファスナ２１が設けられていると共に、クロッチ部２ではない後胴回り部４に後側の第１面ファスナ２１が設けられている。後胴回り部４に配置される第１面ファスナ２１は、該後胴回り部４におけるクロッチ部２の両側に設けられている。
【００３９】
図７Ｂに示すように、吸収性本体５は、股下に当たる部分から後胴にかけて大きくなる形状に形成されており、前記図７Ａに示す第１面ファスナ２１に対応する部分に第２面ファスナ５２が設けられている。
その他の構成は、実施例１と同様であり、同一部分または相当部分に同一符号を付して、その説明を省略する。
【実施例４】
【００４０】
図７Ｃおよび図７Ｄは実施例４を示す。
図７Ｃに示すように、本実施例４のパンツ本体１０は、クロッチ部２ではなく前胴回り部３および後胴回り部４に第１面ファスナ２１が設けられている。前記第１面ファスナ２１は、クロッチ部２の両側に設けられている。
【００４１】
図７Ｄに示すように、吸収性本体５は砂時計型に形成されており、前記図７Ｃに示す第１面ファスナ２１に対応する部分に第２面ファスナ５２が設けられている。
その他の構成は、実施例１と同様であり、同一部分または相当部分に同一符号を付して、その説明を省略する。
【００４２】
なお、前記第２面ファスナ５２を雄面ファスナで構成する場合には、前記前胴回り部３、後胴回り部４およびクロッチ部２の前記第２面ファスナ５２を構成する雄面ファスナが係合する内面の部分を不織布等で形成することにより前記雌面ファスナとしての第１面ファスナ５１を設けなくてもよい。また、第１面ファスナ２１に雄面ファスナを採用し、第２面ファスナ５２に雌面ファスナを採用してもよい。
【産業上の利用可能性】
【００４３】
本発明はパンツ型の着用物品およびその本体の製造方法に適用される。
【符号の説明】
【００４４】
１：パンツ型のオムツ（パンツ型の着用物品の一例）
２：クロッチ部
３：前胴回り部
４：後胴回り部
５：吸収性本体
１０：パンツ本体
２１：第１面ファスナ
５０：トップシート
５１：バックシート
５２：第２面ファスナ
Ｃ：コア
Ｆ：連続弾性部材
Ｆ１：レッグ弾性部材
Ｌｏ：レッグ開口
Ｗ：胴回り方向
Ｗｏ：ウエスト開口
Ｗ１：第１連続ウエブ
Ｗ２：第２連続ウエブ
Ｗ３：第３連続ウエブ
Ｗ４：複合ウエブ
【図１】
0005572822.tif 000002
【図２】
0005572822.tif 000003
【図３】
0005572822.tif 000004
【図４】
0005572822.tif 000005
【図５】
0005572822.tif 000006
【図６】
0005572822.tif 000007
【図７】
0005572822.tif 000008